(57)【特許請求の範囲】
【請求項１】
マンホール等の壁面に足掛用に取付けられる足掛装置の製造方法において、
中空金属パイプ材を中央の足掛部両側に脚部が連設されたコ字形に曲げる段階と、
該コ字形の中空金属パイプ材の内部に合成樹脂を充填する段階と、
前記コ字形の中空金属パイプ材の内部に充填された合成樹脂を常温まで冷却する段階と、
内部に充填された合成樹脂を常温まで冷却した前記コ字形の中空金属パイプ材の外表面全面に合成樹脂を被覆して樹脂層を形成する段階と、を有することを特徴とした足掛装置の製造方法。
【発明の詳細な説明】
【０００１】
【発明の属する技術分野】
本発明はマンホール等の足掛け用ステップとして使用される足掛装置の製造方法に係り、特に芯材に中空金属パイプを使用すると共にその芯材の全面に合成樹脂を被覆することによって軽量性、運搬性、安全性、耐久性及びコスト低減を可能とした足掛装置の製造方法に関するものである。
【０００２】
【従来の技術】
本件発明のように、金属製の足掛用芯材の外周に合成樹脂を被覆して構成した足掛装置の公知技術としては、例えば特開平９−９５９６１号公報（第１公知技術）、特開平１０−８８９５１号公報（第２公知技術）、特開平１０−２９２４１２号公報（第３公知技術）、特開平１１−２８０３６４号公報（第４公知技術）等が良く知られている。
【０００３】
前記第１公知技術は、中空鋼材製足掛部の両端にステンレス製丸棒脚部を溶着し、かつ該足掛部と丸棒脚部の先端部を除く部分に合成樹脂を被覆して構成した足掛装置の技術である。
【０００４】
前記第２公知技術は、足踏部と両側部とよりなる金属製の足掛具を芯材とし、該足踏部の全面と側部の先端部を除く部分とに合成樹脂を被覆し、更に脚部の一部に蓄光部材を取付けて構成した足掛装置の技術である。
【０００５】
前記第３公知技術は、金属製コ字形ステップの主部及び脚部の先端部を除く部分に合成樹脂を被覆し、更に脚部に球状凸部を取付けて構成した足掛装置の技術である。
【０００６】
前記第４公知技術は、コ字型金属製ステップの両側脚部先端に夫々取付穴を有する固定板を一体的に設け、かつ前記ステップの全面に合成樹脂を被覆して構成した足掛装置の技術である。
【０００７】
然るに、前述の第１公知技術乃至第４公知技術に示す足掛装置は、いずれも足掛装置の両脚部の先端部は合成樹脂が被覆されていないので、脚部の芯材が腐蝕され易く耐久性に乏しい問題があった。または、その対策のため、ステンレス鋼などの高価な材料を使用する必要があった。
【０００８】
また、これ等の公知技術に示す足掛装置の両脚部の先端に露出された金属製芯材にはナット等を螺着するためのネジを穿設しなければならないので、そのための特殊な二次加工が必要であり、作業性が悪い問題があった。
【０００９】
かつ、これ等の公知技術に示す足掛装置は夫々主要部分が全部鋼材で構成されるので、１個ごとの部品が無視できない重さであり、組立式マンホールの様に足掛装置を工場で取付ける場合には、足掛装置の工場までの運搬費用、また、現場打マンホールでは、取付け数が多くなると相当な重量となり、取り付け作業の際の部品の持ち運びが容易でなく、さらにマンホール壁の沿って設けた不安定な足場上で作業を行うために、著しく作業者の負担となる問題があった。
【００１０】
前述の従来の技術の中にも、例えば第１公知技術の如く、足掛装置の内の中央部の足掛部が鋼板をプレスして形成された中空角筒で形成され、更にこの中空角筒の両端部に切り欠きを設け、この切り欠きに丸棒からなる脚部を差し込み、両者を溶接して連結固定することによって構成した足掛装置もある。
【００１１】
しかし、この第１公知技術に係る足掛装置は、足掛部に中空角筒を使用したので、従来のものよりも弱冠軽くはなるが、主要部が鋼製の中空角筒と丸棒とより形成されるので重くなり、足掛装置の充分な軽量化にはそれ程役立たない問題があった。更に、この第１公知技術に係る足掛装置は中空角筒の両端部に切り欠きを設けると共に、この切り欠きに丸棒からなる脚部を差し込んだ後で両者を相互に溶接しなければならないので、作業性が極めて悪い問題があった。
【００１２】
前述の多くの問題点に鑑み開発された全く新しい技術として、特開2001-254374に示す、特にコ字形に曲げられた中空金属パイプを芯材として使用すると共に、この芯材全面に合成樹脂を被覆し、かつ被覆された樹脂層の外周面の一部にネジを設け、前記中空金属パイプ材の内部に合成樹脂が充填されて構成される足掛装置及びその製造方法がある。
【００１３】
【発明が解決しようとする課題】
しかしながら、上記従来のような足掛装置及びその製造方法には、中空製の芯材の中に樹脂を注入した場合に、体積収縮（以下引けという）が生じるという問題点があった。
【００１４】
一般に引けの防止として、発泡材を混入させて引けを少なくするようにしているが、引けの現象は発生する。また、樹脂注入後、常温までの冷却時間を長くすることことにより、引けの発生を防止することができるが、生産性が低下するという問題点があった。
【００１５】
そこで本発明は、生産性が低下することなく、引けの発生を防止することができる足掛装置の製造方法を提供することを目的とする。
【００１６】
【課題を解決するための手段】
上記課題を解決するために本発明に係る足掛装置の製造方法は、マンホール等の壁面に足掛用に取付けられる足掛装置の製造方法において、中空金属パイプ材を中央の足掛部両側に脚部が連設されたコ字形に曲げる段階と、該コ字形の中空金属パイプ材の内部に合成樹脂を充填する段階と、前記コ字形の中空金属パイプ材の内部に充填された合成樹脂を常温まで冷却する段階と、内部に充填された合成樹脂を常温まで冷却した前記コ字形の中空金属パイプ材の外表面全面に合成樹脂を被覆して樹脂層を形成する段階と、を有することを特徴とした。
【００１８】
【発明の実施の形態】
本発明に係る足掛装置の製造方法について、図を用いて説明する。図１は本実施形態に係る足掛装置の一部切開平面図、図２は足掛装置に使用される芯材の斜視説明図、図３は足掛装置の製造方法を説明する図である。
【００１９】
図１及び図２（ａ）に於いて、１は足掛装置であって、中空金属丸パイプ製のパイプ材２の外表面全面に合成樹脂が肉厚に被覆されて樹脂層３が形成されて構成されている。
【００２０】
前記中空金属丸パイプ製のパイプ材２は、中空金属製丸パイプの左右両端部を同一方向に折り曲げて足掛部２ａの両側に脚部２ｂを設けることによって構成されている。
【００２１】
足掛装置１の両脚部２ｂの先端樹脂層３の外周面にはナット等に螺合し得るネジ４が設けられている。また、足掛装置１の足掛部２ａの樹脂層３の上表面には多数のスベリ止め突起５が並列して突設されている。かつ、足掛部２ａの樹脂層３の内側縁には波形状突出部６が連続して突出されている。
【００２２】
前述の図１及び図２（ａ）に示す実施形態の場合に於いては、パイプ材２として中空金属製丸パイプを使用したが、このパイプ材２は図２（ｂ）に示す如く、中空金属製角パイプを使用することも可能である。また、この角パイプは、図に示すような四角筒でも、扁平四角筒でも、或いは六角筒、八角筒でも使用可能である。
【００２３】
このように、足掛装置１のパイプ材２に中空金属パイプを使用するので、これを極めて簡単にコ字形に折曲成形することが出来る。また、パイプ材２の外表面全面に合成樹脂を被覆するので、従来の如く、パイプ材２の両端先端部が露出することがなく、従って腐蝕されることがなく、長期間に亘って損傷することがなく安全に使用することが出来る。
【００２４】
また、両側の脚部２ｂ先端には樹脂層の外周面にネジ４を設けたので、加工が極めて簡単である。さらに、芯材全体が一本の中空金属パイプで形成されているので、足掛装置全体を著しく強化することが出来る。
【００２５】
パイプ材２の中空部内には、合成樹脂を充填して充填樹脂層８を形成する。このように、中空金属パイプの内部にも合成樹脂が充填されているので、足掛装置全体の強度をより向上せしめることが出来る。
【００２６】
また、外周部の樹脂と本体部の樹脂を異なるものとしてもよい。即ち、中空内部の樹脂にリサイクルプラスチックを使用してもよい。これにより、生産コストを抑えることができる。
【００２７】
以下、足掛装置の製造方法について説明する。
【００２８】
図３に示すように、真っすぐな中空金属パイプ材２を、中央の足掛部２ａ両側に直角に脚部２ｂが連設されるようにコ字形に曲げる。
【００２９】
次に、コ字形に曲げたパイプ材２を固定治具により固定し、両端の開口端を閉塞治具で閉塞する。一方の閉塞治具は、合成樹脂を注入用に加工されており、かかる閉塞治具から合成樹脂を圧入し、パイプ材２の中空部内に合成樹脂を充填する。合成樹脂を充填されたパイプ材２を合成樹脂を常温まで冷却する。
【００３０】
そして、合成樹脂の射出成形（射出成形機を用いたインサート成形）によって同時工程で、パイプ材２全面に合成樹脂を所定の厚みに被覆するとともに、脚部２ｂに被覆された樹脂層の外周面にネジ４を形成し、足掛装置１を完成する。
【００３１】
上述の如く、中空製の芯材を予め曲げ、その中に樹脂を注入し、樹脂が硬化した後に外周の樹脂層を形成する。このように、充填樹脂層８と外周の樹脂層の形成を別工程とすることで、充填樹脂層８の冷却時間を確保することができる。これにより、樹脂の収縮を防止し、引けの発生を防止することができる。
【００３２】
【発明の効果】
本発明に係る足掛装置の製造方法は、中空製の芯材を予め曲げ、その中に樹脂を注入し、樹脂注入、硬化後に外周の樹脂層を形成する。これにより、樹脂の収縮を防止し、引けの発生を防止することができる。
【図面の簡単な説明】
【図１】本実施形態に係る足掛装置の一部切開平面図である。
【図２】足掛装置に使用される芯材の斜視説明図である。
【図３】足掛装置の製造方法を説明する図である。
【符号の説明】
１    …足掛装置
２    …パイプ材
２ａ  …足掛部
２ｂ  …脚部
３    …先端樹脂層
４    …ネジ
５    …スベリ止め突起
６    …波形状突出部
８    …充填樹脂層
【図１】
0003971191.tif 000002
【図２】
0003971191.tif 000003
【図３】
0003971191.tif 000004